(57)【要約】【課題】交換レンズへの不要な給電を禁止して省電力化を図る。【解決手段】撮影画像データを記録する記録媒体１２を収納可能なカメラ１と、交換レンズ２とを備えたカメラシステムにおいて、記録媒体１２の画像記録情報を検出する検出手段３と、交換レンズの駆動電流を供給する給電手段１５と、給電手段１５の駆動を制御する制御手段３とを有し、制御手段３は、検出手段の検出結果に基づいて記録媒体に撮影画像データを記録できるか否かを判断し、記録できないときに給電手段による交換レンズの駆動電流の供給を禁止する。【選択図】　図１
2004080562.tif 000002
【特許請求の範囲】
【請求項１】
撮影画像データを記録する記録媒体を収納可能なカメラと、このカメラに着脱可能であり、装着時に前記カメラとの相互通信が可能な交換レンズとを備えたカメラシステムにおいて、
前記カメラ内に収納された記録媒体の画像記録情報を検出する検出手段と、
前記交換レンズの駆動電流を供給する給電手段と、
この給電手段の駆動を制御する制御手段とを有し、
前記制御手段は、前記検出手段の検出結果に基づいて前記記録媒体に撮影画像データを記録できるか否かを判断し、記録できないときに前記給電手段による前記交換レンズの駆動電流の供給を禁止することを特徴とするカメラシステム。
【請求項２】
前記給電手段が、複数の駆動電流を供給可能であり、
前記制御手段は、前記検出手段の検出結果に基づいて前記記録媒体に撮影画像データを記録できないと判断したときに、前記複数の駆動電流のうち一部の駆動電流の供給を禁止することを特徴とする請求項１に記載のカメラシステム。
【請求項３】
前記交換レンズが、この交換レンズ内に配置された駆動部材を駆動するアクチュエータと、レンズ動作を制御するレンズ制御手段とを有し、
前記給電手段が、前記アクチュエータの駆動電流および前記レンズ制御手段の駆動電流をそれぞれ供給可能であり、
前記制御手段は、前記検出手段の検出結果に基づいて前記記録媒体に撮影画像データを記録できないと判断したときに、前記アクチュエータの駆動電流の供給を禁止することを特徴とする請求項１に記載のカメラシステム。
【請求項４】
前記制御手段は、前記記録媒体における画像記録データの空容量と所定値とを比較することにより、前記記録媒体に撮影画像データを記録できるか否かを判断することを特徴とする請求項１から３のいずれかに記載のカメラシステム。
【請求項５】
前記所定値は、前記記録媒体に記録される撮影画像データの容量および圧縮率に基づいて決定される値であることを特徴とする請求項４に記載のカメラシステム。
【請求項６】
交換レンズの装着により前記交換レンズとの相互通信が可能であるとともに、撮影画像データを記録する記録媒体を収納可能なカメラにおいて、
カメラ本体内に収納された記録媒体の画像記録情報を検出する検出手段と、
前記交換レンズの駆動電流を供給する給電手段と、
この給電手段の駆動を制御する制御手段とを有し、
前記制御手段は、前記検出手段の検出結果に基づいて前記記録媒体に撮影画像データを記録できるか否かを判断し、記録できないときに前記給電手段による前記交換レンズの駆動電流の供給を禁止することを特徴とするカメラ。
【請求項７】
前記給電手段が、複数の駆動電流を供給可能であり、
前記制御手段は、前記検出手段の検出結果に基づいて前記記録媒体に撮影画像データを記録できないと判断したときに、前記複数の駆動電流のうち一部の駆動電流の供給を禁止することを特徴とする請求項６に記載のカメラ。
【請求項８】
前記交換レンズが、この交換レンズ内に配置された駆動部材を駆動するアクチュエータと、レンズ動作を制御するレンズ制御手段とを有し、
前記給電手段が、前記アクチュエータの駆動電流および前記レンズ制御手段の駆動電流をそれぞれ供給可能であり、
前記制御手段は、前記検出手段の検出結果に基づいて前記記録媒体に撮影画像データを記録できないと判断したときに、前記アクチュエータの駆動電流の供給を禁止することを特徴とする請求項６に記載のカメラ。
【請求項９】
前記制御手段は、前記記録媒体における画像記録データの空容量と所定値とを比較することにより、前記記録媒体に撮影画像データを記録できるか否かを判断することを特徴とする請求項６から８のいずれかに記載のカメラ。
【請求項１０】
前記所定値は、前記記録媒体に記録される撮影画像データの容量および圧縮率に基づいて決定される値であることを特徴とする請求項９に記載のカメラ。
【請求項１１】
交換レンズの駆動電流を供給する給電手段と、この給電手段の駆動を制御する制御手段とを有する交換レンズの装着により前記交換レンズとの相互通信が可能であるとともに、撮影画像データを記録する記録媒体を収納可能なカメラにおいて、
カメラ本体内に収納された記録媒体の画像記録情報を検出する検出手段を有し、
前記検出手段の検出結果に基づいて前記記録媒体に撮影画像データを記録できるか否かを判断し、記録できないときに前記制御手段に対して前記給電手段による前記交換レンズの駆動電流の供給を禁止するための信号を送信することを特徴とするカメラ。
【請求項１２】
撮影画像データを記録する記録媒体を収納可能なカメラに着脱可能であり、装着時に前記カメラとの相互通信が可能な交換レンズにおいて、
前記カメラ内に収納された記録媒体の画像記録情報を検出する検出手段と、
レンズ本体の駆動電流を供給する給電手段と、
この給電手段の駆動を制御する制御手段とを有し、
前記制御手段は、前記検出手段の検出結果に基づいて前記記録媒体に撮影画像データを記録できるか否かを判断し、記録できないときに前記給電手段による前記レンズ本体の駆動電流の供給を禁止することを特徴とする交換レンズ。
【請求項１３】
前記制御手段は、前記記録媒体における画像記録データの空容量と所定値とを比較することにより、前記記録媒体に撮影画像データを記録できるか否かを判断することを特徴とする請求項１２に記載の交換レンズ。
【請求項１４】
前記所定値は、前記記録媒体に記録される撮影画像データの容量および圧縮率に基づいて決定される値であることを特徴とする請求項１３に記載の交換レンズ。
【請求項１５】
撮影画像データを記録する記録媒体を収納可能であるとともに、カメラ本体内に収納された記録媒体の画像記録情報を検出し、この検出結果に基づいて前記記録媒体に撮影画像データを記録できるか否かを判断することが可能なカメラに着脱可能であり、装着時に前記カメラとの相互通信が可能な交換レンズにおいて、
レンズ本体の駆動電流を供給する給電手段と、
この給電手段の駆動を制御する制御手段とを有し、
前記制御手段は、前記カメラにおいて前記記録媒体に撮影画像データを記録できないと判断されたときに、前記カメラからの信号に応じて前記給電手段による前記レンズ本体の駆動電流の供給を禁止することを特徴とする交換レンズ。
【発明の詳細な説明】
【０００１】
【発明の属する技術分野】
本発明は、カメラ、このカメラに着脱可能な交換レンズ、カメラおよび交換レンズからなるカメラシステムに関するものである。
【０００２】
【従来の技術】
カメラ本体およびこのカメラ本体に着脱可能な交換レンズからなるカメラシステムにおいて、カメラ本体には、電源、この電源からの電力供給により動作してカメラ動作を制御するマイクロコンピュータ、被写体光束を受光する撮像素子、その他周辺回路や駆動系などが内蔵されている。
【０００３】
また、カメラ本体に装着される交換レンズには、レンズ動作を制御するマイクロコンピュータ、絞りや撮影レンズ、絞りおよび撮影レンズを駆動するためのモータ、その他周辺回路が内蔵されている。交換レンズ内に配置された電気部品は、カメラ本体内の電源から電気接点を介して電力供給を受けている。
【０００４】
一方、デジタルカメラにおいては、撮影された画像データがカメラ本体内に収納可能な記録媒体に記録されるようになっている。
【０００５】
【発明が解決しようとする課題】
上述したデジタルカメラにおいて、撮影された画像データを記録媒体に記録してゆくと、いずれ記録媒体における画像データの記録容量が無くなり撮影不可能となる。この場合には、画像データが記録されていない新しい記録媒体に交換したり、記録されている画像データを読み出して不必要なデータを削除したりすることにより撮影可能な状態とすることができる。
【０００６】
ここで、記録媒体のデータ記録容量が無くなり撮影不可能となった状態においても交換レンズへの電力供給が行われると、不必要な電力を消費してしまうことになる。
【０００７】
そこで、本出願に係る発明の目的は、不必要な電力供給を禁止することにより電力消費を抑えることにある。
【０００８】
【課題を解決するための手段】
本願第１の発明は、撮影画像データを記録する記録媒体を収納可能なカメラと、このカメラに着脱可能であり、装着時にカメラとの相互通信が可能な交換レンズとを備えたカメラシステムにおいて、カメラ内に収納された記録媒体の画像記録情報を検出する検出手段と、交換レンズの駆動電流を供給する給電手段と、この給電手段の駆動を制御する制御手段とを有し、制御手段は、検出手段の検出結果に基づいて記録媒体に撮影画像データを記録できるか否かを判断し、記録できないときに給電手段による交換レンズの駆動電流の供給を禁止することを特徴とする。
【０００９】
すなわち、記録媒体に撮影画像データを記録できない場合には、交換レンズの駆動電流の供給を禁止するようにして電力消費を抑えるようにしている。
【００１０】
ここで、給電手段により複数の駆動電流を供給可能である場合には、この複数の駆動電流のうち一部の駆動電流の供給を禁止することもできる。
【００１１】
具体的には、交換レンズが、この交換レンズ内に配置された駆動部材を駆動するアクチュエータと、レンズ動作を制御するレンズ制御手段とを有しており、給電手段が、アクチュエータの駆動電流およびレンズ制御手段の駆動電流をそれぞれ供給可能である場合において、検出手段の検出結果に基づいて記録媒体に撮影画像データを記録できないと判断したときに、アクチュエータの駆動電流の供給を禁止することができる。
【００１２】
このようにアクチュエータの駆動電流の供給を禁止することにより、無駄な電力消費を抑えて省電力化を図ることができる。また、レンズ制御手段への駆動電流の供給は禁止していないため、レンズ制御手段を動作させておくことができる。すなわち、レンズ制御手段への給電を停止した後に給電を再開するようにすると、給電停止によりレンズ制御手段における動作履歴等が初期化されてしまうが、レンズ制御手段に絶えず給電を行うことで、上述した初期化動作が行われないようにしている。
【００１３】
本願第２の発明は、交換レンズの装着により交換レンズとの相互通信が可能であるとともに、撮影画像データを記録する記録媒体を収納可能なカメラにおいて、カメラ本体内に収納された記録媒体の画像記録情報を検出する検出手段と、交換レンズの駆動電流を供給する給電手段と、この給電手段の駆動を制御する制御手段とを有し、制御手段は、検出手段の検出結果に基づいて記録媒体に撮影画像データを記録できるか否かを判断し、記録できないときに給電手段による交換レンズの駆動電流の供給を禁止することを特徴とする。本発明においても、本願第１の発明と同様の効果を得ることができる。
【００１４】
本願第３の発明は、撮影画像データを記録する記録媒体を収納可能なカメラに着脱可能であり、装着時にカメラとの相互通信が可能な交換レンズにおいて、カメラ内に収納された記録媒体の画像記録情報を検出する検出手段と、レンズ本体の駆動電流を供給する給電手段と、この給電手段の駆動を制御する制御手段とを有し、制御手段は、検出手段の検出結果に基づいて記録媒体に撮影画像データを記録できるか否かを判断し、記録できないときに給電手段によるレンズ本体の駆動電流の供給を禁止することを特徴とする。本発明においても、本願第１の発明と同様の効果を得ることができる。
【００１５】
【発明の実施の形態】
（第１実施形態）
以下、本発明の第１実施形態であるカメラシステムについて説明する。
【００１６】
図１に、本実施形態におけるカメラシステムの構成図を示す。このカメラシステムは、カメラ本体１および交換レンズ２からなり、カメラ本体１には複数種類の交換レンズ２が着脱可能である。
【００１７】
カメラ本体１内には、電気回路部１６が配置されており、この電気回路部１６には電源１４から電力が供給されている。電気回路部１６には、カメラ本体１の動作制御を行うカメラＭＰＵ（検出手段、制御手段）３があり、この内部には不図示のＣＰＵ、ＲＡＭ、ＲＯＭ、ＥＥＰＲＯＭ及び入出力ポートなどが配置されている。
【００１８】
ＲＯＭおよびＥＥＰＲＯＭには、カメラ本体の制御ファームウェア及びパラメータが格納されている。交換レンズ２を通過した被写体光束は、撮像素子であるＣＣＤ６上に結像されて電気信号に変換される。カメラＭＰＵ３は、ＴＧ（タイミングジェネレータ）４にＣＣＤ６を駆動するためのタイミング信号を出力し、ドライバ５はＣＣＤ６を駆動し、ＣＣＤ６で蓄積された電荷を出力させる。
【００１９】
ＣＣＤ６で出力された電荷は、相関二重サンプリングおよびオートゲインコントロール回路（ＣＤＳ、ＡＧＣ）７に取り込まれた後、Ａ／Ｄ変換回路８に入力されてデジタル信号に変換される。
【００２０】
映像信号処理回路９は、デジタル化された画像データにフィルタ処理、色変換処理、ガンマ処理などを行う。映像信号処理回路９の出力はバッファメモリ１０に格納される。バッファメモリ１０に格納されている画像データは、撮影画像としてＬＣＤ１１に表示されたり、カメラ本体１内に収納可能なメモリカード１２に記録される。
【００２１】
ここで、カメラＭＰＵ３は、メモリカード１２におけるデータ記録容量の残量確認も行っている。また、カメラＭＰＵ３は、電源制御部（給電手段）１５を介して交換レンズ２への電力の供給および遮断を制御する。
【００２２】
操作部１３は、カメラの撮影モードの設定、メモリカード１２に記録される画像ファイルサイズの設定、撮影準備動作（測光動作や測距動作等）、撮影動作、主電源の切換を行うために操作されるスイッチ群で構成されている。
【００２３】
交換レンズ２内には、以下に説明する部材が配置されている。１８は光軸方向に進退することにより焦点調節を行うフォーカスレンズ、１９は光軸方向に進退することによりズーミングを行うズームレンズである。２０は光通過口となる開口部を通過する光量を調節するための絞り、２１はズームレンズ１９の位置を検出するためのズームブラシである。
【００２４】
２２はフォーカスレンズ１８のゾーン位置を検出するためのゾーンブラシ、２３はフォーカスレンズ１８の光軸方向移動量に応じたパルス信号を出力するフォーカスエンコーダである。２４はオートフォーカスおよびマニュアルフォーカスを切り換えるために操作されるＡ／Ｍ切換えスイッチである。２９は電気回路部であり、この電気回路部２９はカメラ本体１の電源１４から電気接点を介して電力供給を受ける。
【００２５】
電気回路部２９内には、交換レンズ２の動作制御を行うレンズＭＰＵ１７がある。レンズＭＰＵ１７の内部には、不図示のＣＰＵ、ＲＡＭ、ＲＯＭ、ＥＥＰＲＯＭ及び入出力ポートなどが配置されている。また、レンズＭＰＵ１７は、フォーカスレンズ制御部２５に駆動信号を出力してフォーカスレンズ駆動用モータ２６を駆動することによりフォーカスレンズ１８を光軸方向に進退させる。さらに、レンズＭＰＵ１７は、絞り制御部２７に駆動信号を出力して絞り駆動用モータ２８を駆動することにより絞り２０を動作させる。
【００２６】
カメラＭＰＵ３とレンズＭＰＵ１７は、電気接点を介して相互に通信可能であり、カメラ本体１および交換レンズ２における動作状態や光学情報などの送受信が可能である。
【００２７】
次に図２に示すフローチャートに従ってカメラ本体１（カメラＭＰＵ３）の動作について説明する。カメラ本体１におけるメインスイッチ（操作部１３）がＯＮ状態になると、ステップ♯１００から動作を開始する。
【００２８】
ステップ♯１００では、記録媒体であるメモリカード１２におけるデータ記録容量の残量を確認する。ステップ♯１０１では、ステップ♯１００で確認された残りのデータ記録容量に基づいて、撮影者の設定した記録画像ファイルサイズ（撮影画像データの容量および圧縮率）で画像データをメモリカード１２に記録可能であるか否かを判定する。ここで、画像データを記録可能であればステップ♯１０２へ進み、記録不可能であればステップ♯１０３へ進む。
【００２９】
ステップ♯１０２は、画像データをメモリカード１２に記録可能なときに流れてくるフローであるため、電源制御部１５の制御により交換レンズ２の電気回路部２９へ給電を行う。給電を開始した直後は交換レンズ２の動作が不安定となるため、交換レンズ２との通信が確立してから、交換レンズ２への動作命令などを送信する。
【００３０】
ステップ♯１０３は、画像データをメモリカード１２に記録不可能なときに流れてくるフローであるため、電源制御部１５の制御により交換レンズ２の電気回路部２９への給電を遮断する。ここで、交換レンズ２が動作中であれば、まずレンズ動作を停止する命令をレンズＭＰＵ１７に送信して、動作が停止したのを確認してから、交換レンズ２への給電を遮断する。
【００３１】
ステップ♯１０４では、メモリカード１２のデータ記録容量に残量がないため、撮影不可能であることを示す情報をＬＣＤ１１に表示させて撮影者に警告を行う。
【００３２】
ステップ♯１０５では、カメラ本体１に設けられたレリーズスイッチ（操作部１３）が半押しされたか否かの判定を行う。半押しされている場合にはステップ♯１０６へ進み、半押しされていない場合にはステップ♯１１９へ進む。
【００３３】
ステップ♯１０６では、カメラ本体１内に設けられた不図示の測距回路を駆動することにより被写体距離の測定（測距）を行い、この測距結果に基づいて被写体にピントを合わせるためにフォーカスレンズ１８の駆動量を演算する。
【００３４】
ステップ♯１０７では、フォーカスレンズ１８の駆動量をレンズＭＰＵ１７へ送信する。ここで、フォーカスレンズ１８の駆動量は、フォーカスエンコーダ２３のパルスデータとして送信される。これにより、交換レンズ２では、レンズＭＰＵ１７がフォーカスレンズ制御部２５に制御信号を送り、フォーカスレンズ駆動用モータ２６を動作させることにより、フォーカスレンズ１８を光軸方向に進退させて焦点調節を行う。
【００３５】
フォーカスレンズ１８の光軸方向移動量は、フォーカスエンコーダ２３を介して検出され、フォーカスエンコーダ２３の出力パルスのカウント値がステップ♯１０７で得られたパルスデータとなるまでフォーカスレンズ１８の駆動を行う。
【００３６】
フォーカスレンズ１８の駆動制御が終了すると、ステップ♯１０８において再び測距動作を行う。ステップ♯１０９では、ステップ♯１０８の測距結果に基づいて焦点調節状態が合焦深度内であるかどうかの判定を行い、合焦深度内であればステップ♯１１０へ進み、合焦深度外であればステップ♯１０６に戻る。
【００３７】
ステップ♯１１０は、ステップ♯１０９において合焦深度内であると判定された場合に流れてくるフローであるため、合焦表示を行う。具体的には、カメラ本体１のファインダ（不図示）内に設けられたＬＥＤを点灯させることで行う。
【００３８】
ステップ♯１１１では、カメラ本体１のレリーズスイッチ（操作部１３）が全押しされたか否かの判定を行い、全押しされていればステップ♯１１２へ進み、全押しされていなければステップ♯１０６に戻る。
【００３９】
ステップ♯１１２では、カメラ本体１内に設けられた不図示の測光部において被写体輝度の測定（測光）を行い、この測光結果から露出量を演算する。これにより、絞り値やシャッタ速度が決定される。
【００４０】
ステップ♯１１３では、ステップ♯１１２で求めた絞り値に基づいて絞り２０を駆動するために、レンズＭＰＵ１７に絞り駆動命令を送信する。この絞り駆動命令を受けたレンズＭＰＵ１７は、絞り制御部２７に制御信号を出力して絞り駆動用モータ２８を駆動する。これにより、絞り２０は所定の絞り値となるように動作する。
【００４１】
ステップ♯１１４では、カメラ本体１内に設けられた不図示のシャッタ装置を駆動することにより、先幕シャッタを開き動作させる。これにより、交換レンズ２内を通過した被写体光束はＣＣＤ６上に結像する。ＣＣＤ６は、被写体光束を受光して、この受光量に応じた電荷を蓄積する（ステップ♯１１５）。
【００４２】
ステップ♯１１６では、ステップ♯１１２で決定されたシャッタ速度に基づいて所定時間経過後にシャッタ装置を駆動することにより、後幕シャッタを開き動作させて露光を終了させる。
【００４３】
ステップ♯１１７では、ＣＣＤ６からの電荷転送を行う。ＣＣＤ６の電荷は、ＣＤＳ／ＡＧＣ７およびＡ／Ｄ変換回路８を経て映像信号処理回路９に出力される。ステップ♯１１８では、映像信号処理回路９において信号処理された画像データをメモリカード１２へ書き込む。
【００４４】
以上がカメラ本体１のメインスイッチがオン状態にあるときのカメラシステムの撮影動作であり、メインスイッチがオン状態にある間は以上のような動作を繰り返す。ここで、メモリカード１２においてデータ記録容量が少なくなった場合には交換レンズ２への給電が遮断される（ステップ♯１０３）が、新しいメモリーカードに交換したり、メモリカード１２に記録されている画像データを消去したりして、再び画像データの記録が可能になるとステップ♯１０２で交換レンズ２への給電が開始される。
【００４５】
本実施形態によれば、図２のステップ♯１０１でメモリカード１２に画像データを記録することができないと判断された場合には、交換レンズ２への給電を遮断する（ステップ♯１０３）ため、不要な電力供給を防止して省電力化を図ることができる。
【００４６】
ここで、メモリカード１２のデータ記録容量が少なくなった場合（メモリカード１２に画像データを記録できなくなった場合）、撮影者はこのことに気付かないことがあり、このような場合にも交換レンズ２へ電力が供給され続けると、不要な電力を消費してしまうことになる。
【００４７】
特に、連写撮影を行った場合、画像データがメモリカード１２に記録されるまでの時間がかかるため、次の撮影を行うまでメモリカード１２のデータ記録容量が少なくなっていることに気付かないことがある。このような場合、連写撮影を行ってから次の撮影を行おうとするまで交換レンズ２に給電が行われていることは、不要な電力消費となる。
【００４８】
そこで、本実施形態のようにメモリカード１２に画像データが記録できなくなった時点で交換レンズ２への給電を遮断することにより、上述したような不都合を回避することができ、省電力化を図ることができる。
【００４９】
一方、交換レンズ２への給電を遮断した場合、警告表示（ステップ♯１０４）を行うことにより、撮影者にその旨を認知させることができる。
【００５０】
（第２実施形態）
本発明の第２実施形態であるカメラシステムについて詳細に説明する。
【００５１】
図３には、カメラ本体１と交換レンズ２とからなるカメラシステムの構成を示しているが、本実施形態では、カメラ本体１から交換レンズ２へ供給される電力系統が２種類（Ｖｂａｔ、Ｖｄｄ）ある例を示している。同図において、第１実施形態で説明した部材と同じ部材については同一符号を付し、説明を省略する。
【００５２】
図３において、２種類の電力供給系は、絞り駆動用モータ２８およびフォーカス駆動用モータ２６を含むレンズ駆動系３３に大電流を供給できるＶｂａｔと、レンズＭＰＵ（レンズ制御手段又は制御手段）１７の電源３１やその他の回路に電力を供給するＶｄｄとに分けられている。交換レンズ２内に設けられた電源制御部３０は、レンズＭＰＵ１７からの制御信号を受けて、電気回路部３２への電力供給を行う。
【００５３】
次に、図４に示したフローチャートに従って、本実施形態におけるカメラ本体１（カメラＭＰＵ３）の動作を説明する。なお、第１実施形態の図２で説明したステップと同じステップについては同一符号を付し、説明を省略する。
【００５４】
カメラ本体１においてメインスイッチ（操作部１３）がＯＮ状態になると、ステップ♯１００から動作を開始し、まず、カメラ本体１に収納されたメモリカード１２の残り記録容量を確認する。そして、ステップ♯１０１において、ステップ♯１００で確認したメモリカード１２の残り記録容量に基づいて、撮影者の設定した画像ファイルサイズで画像データをメモリカード１２に記録可能か否かを判断する。
【００５５】
ここで、メモリカード１２に画像データを記録可能であると判断した場合には、ステップ♯２００へ進み、記録不可能であると判断した場合にはステップ♯２０２へ進む。
【００５６】
ステップ♯２００は、メモリカード１２に画像データを記録可能である場合に流れてくるフローであるため、レンズＭＰＵ１７へＶｂａｔを供給する内容の通信を行い、ステップ♯２０１で電源制御部１５を介して交換レンズ２のレンズ駆動系３３へＶｂａｔの給電を行う。ステップ♯１０５以降は、第１実施形態と同様に、レリーズボタン（操作部１３）の操作状態に応じて、撮影準備動作や撮影動作を行う。
【００５７】
一方、ステップ♯２０２は、メモリカード１２に画像データを記録できない場合に流れてくるフローであるため、レンズＭＰＵ１７へのＶｂａｔ供給を遮断する内容の通信を行い、ステップ♯２０３で電源制御部１５を介してレンズ駆動系３３へのＶｂａｔの給電を遮断する制御を行う。
【００５８】
ここで、交換レンズ２が動作中である場合、レンズＭＰＵ１７はレンズ動作を停止させ、カメラＭＰＵ３はレンズ動作が停止したのを確認した後にＶｂａｔの給電を遮断する。
【００５９】
そして、ステップ♯１０４において、撮影不可能であることを示す情報をＬＣＤ１１に表示させて撮影者に警告を行う。
【００６０】
次に、図５に示したフローチャートに従って、交換レンズ２（レンズＭＰＵ１７）の動作を説明する。レンズＭＰＵ１７がカメラＭＰＵ３からの命令を受信するとステップ♯３００から動作を開始する。
【００６１】
ステップ♯３００では、カメラＭＰＵ３から送信された命令（コマンド）の解析を行い、各命令に応じた処理へ分岐する。
【００６２】
ステップ♯３０１は、カメラＭＰＵ３からＶｂａｔの給電を遮断する内容を受信したときに流れてくるフローであり、ステップ♯３０２においてフォーカスレンズ１８の駆動および交換レンズ２内の不図示の昇圧回路の動作を停止させる。そして、ステップ♯３０３で絞り制御部２７を介して絞り２０の駆動を停止させた後、ステップ♯３０４で電源制御部３０を介して電気回路部３２への給電を遮断させる。
【００６３】
ステップ♯３０５は、フォーカスレンズ１８を駆動する命令を受信したときに流れてくるフローであり、ステップ♯３０６でフォーカスレンズ１８の駆動を開始する。このフォーカス駆動は、カメラＭＰＵ３から送信されてきた目標パルスＰに基づいてフォーカスレンズ１８を光軸方向に進退させることにより、フォーカスレンズを所定の合焦位置に停止させる。
【００６４】
ステップ♯３０７では、フォーカスエンコーダ２３から得られるパルス信号を検出して、フォーカスレンズ１８の駆動量を測定する。ステップ♯３０８では、ステップ♯３０７で検出したパルス信号のカウント値が目標パルスＰに達したかどうかを判定する。ここで、目標パルスＰに達していればステップ♯３０９へ進み、フォーカスレンズ１８の駆動を停止する。一方、目標パルスＰに達していなければステップ♯３０７へ戻り、フォーカスレンズ１８の駆動を継続する。
【００６５】
ステップ♯３１０は、絞り駆動命令を受信したときに流れてくるフローであり、カメラＭＰＵ３から送信された絞り駆動に関するデータをもとに絞り２０を駆動する。この絞り駆動は、絞り駆動用モータ２８（ステッピングモータ）の駆動パターンを設定し、ステップ♯３１１で設定した駆動パターンをステッピングモータに出力し、絞り２０を駆動することにより行われる。
【００６６】
ステップ♯３１２は、Ｖｂａｔ遮断命令（ステップ♯３０１）、フォーカス駆動命令（ステップ♯３０５）および絞り駆動命令（ステップ♯３１０）以外の他の命令を受信したときに流れてくるフローである。他の命令としては、例えば、交換レンズ２のＩＤコード通信や、交換レンズ２の各機能の動作状態を示すステータス通信などがある。ステップ♯３１３では、ステップ♯３１２で受信した命令に応じた処理を行う。以上が交換レンズ２における主要な動作である。
【００６７】
本実施形態によれば、図４のステップ♯１０１においてメモリカード１２への画像データの記録が不可能であると判断したとき、カメラＭＰＵ３が電源制御部１５を介して交換レンズ２のレンズ駆動系３３への給電（Ｖｂａｔ）のみを遮断させ、レンズＭＰＵ１７への給電を遮断させないようにしている。
【００６８】
また、交換レンズ２のレンズＭＰＵ１７がＶｂａｔの給電を遮断する内容の通信をカメラＭＰＵ３から受信すると、電源制御部３０を介して所定の電気回路部３２への給電を遮断させている。
【００６９】
このようにレンズ駆動系３３および電気回路部３２への給電を遮断させることにより、不要な電力消費を抑えて省電力化を図ることができる。
【００７０】
また、本実施形態では、レンズＭＰＵ１７への給電は継続されているため、カメラＭＰＵ３からのレンズＭＰＵ１７への通信で交換レンズ２は直ちに動作復帰することができるとともに、レンズＭＰＵ１７において動作履歴などの初期化が行われないようにすることができる。
【００７１】
一方、メモリカード１２への画像データの記録が可能な状態となった場合には、カメラＭＰＵ３からの通信によりレンズ駆動系３３へのＶｂａｔ給電と、電気回路部３２への給電が再開される。
【００７２】
（第３実施形態）
本発明の第３実施形態であるカメラシステムについて詳細に説明する。
【００７３】
図６には、カメラ本体１と交換レンズ２とからなるカメラシステムの構成を示しているが、本実施形態では、カメラ本体１及び交換レンズ２のそれぞれに電源１４及び電源３４が配置されている。同図において、第１実施形態および第２実施形態で説明した部材と同じ部材については同一符号を付し、説明を省略する。
【００７４】
交換レンズ２において、レンズＭＰＵ１７は、電源制御部３０の駆動制御を行うことにより、電気回路部３２およびレンズ駆動系３３へ電源３４の電力を供給する。
【００７５】
図７は、カメラ本体１（カメラＭＰＵ３）の動作を示したフローチャートである。
【００７６】
カメラ本体１においてメインスイッチ（操作部１３）がＯＮ状態になると、ステップ♯１００から動作を開始し、まず、カメラ本体１内に収納された記録媒体であるメモリカード１２におけるデータ記録容量の残量を確認する。そして、ステップ♯１０１において、ステップ♯１００で確認したメモリカード１２の残り記録容量に基づいて、撮影者の設定した画像ファイルサイズで画像データをメモリカード１２に記録可能か否かを判断する。
【００７７】
ここで、メモリカード１２に画像データを記録可能であると判断した場合にはステップ♯４００へ進み、レンズＭＰＵ１７に交換レンズ２内の電気回路部３２やレンズ駆動系３３を動作させる命令を送信する。一方、メモリカード１２に画像データを記録不可能であると判断した場合にはステップ♯４０１へ進み、レンズＭＰＵ１７に交換レンズ２内の電気回路部３２やレンズ駆動系３３の動作を停止させる命令を送信する。
【００７８】
レンズＭＰＵ１７は、上述した命令を受信すると、受信命令に応じて電源制御部３０に制御信号を出力し、電気回路部３２及びレンズ駆動系３３への給電を制御する。具体的には、ステップ♯４００の命令を受けた場合には、電源制御部３０を制御して電気回路部３２およびレンズ駆動系３３に電源３４の電力を供給する。また、ステップ♯４０１の命令を受けた場合には、電源制御部３０を制御して電気回路部３２およびレンズ駆動系３３への電源３４の電力供給を遮断させる。
【００７９】
本実施形態によれば、図７のステップ♯１０１においてメモリカード１２への画像データの記録が不可能であると判断したとき、交換レンズ２の電気回路部３２およびレンズ駆動系３３への給電を遮断するようにしている。このため、交換レンズ２への不要な電力供給を防止することができ、カメラシステムの省電力化を図ることができる。
【００８０】
なお、本実施形態では、レンズＭＰＵ１７がカメラＭＰＵ３からの命令を受信することにより（ステップ♯４０１）、電気回路部３２およびレンズ駆動系３３への電力供給を遮断させているが、レンズＭＰＵ１７において、メモリカード１２に画像データを記録可能であるか否かを判断するようにし（ステップ♯１０１）、この判断結果に応じて電気回路部３２およびレンズ駆動系３３への電力供給を制御（給電許容又は遮断）するようにしてもよい。
【００８１】
一方、上述した第１実施形態から第３実施形態のカメラシステムであって、交換レンズ２内に防振機構、すなわちレンズを光軸直交面内で移動させることにより像振れ補正を行う機構を備えたカメラシステムにおいては、メモリカードに画像データを記録できないと判断したときに、防振機構への給電を遮断するようにしてもよい。この場合でも、不要な電力供給を防止でき省電力化を図ることができる。
【００８２】
【発明の効果】
本発明によれば、記録媒体に撮影画像データを記録できない場合には、交換レンズの駆動電流の供給を禁止しているため、電力消費を低減することができる。
【図面の簡単な説明】
【図１】第１実施形態のカメラシステムの構成を示すブロック図。
【図２】第１実施形態におけるカメラ本体の動作を示すフローチャート。
【図３】第２実施形態のカメラシステムの構成を示すブロック図。
【図４】第２実施形態におけるカメラ本体の動作を示すフローチャート。
【図５】第２実施形態における交換レンズの動作を示すフローチャート。
【図６】第３実施形態のカメラシステムの構成を示すブロック図。
【図７】第３実施形態におけるカメラ本体の動作を示すフローチャート。
【符号の説明】
１：カメラ本体、２：交換レンズ、３：カメラＭＰＵ
６：撮像素子ＣＣＤ、９：映像信号処理回路
１２：メモリカード、１４：カメラ内電源、１５：電源制御部
１７：レンズＭＰＵ
【図１】
2004080562.tif 000003
【図２】
2004080562.tif 000004
【図３】
2004080562.tif 000005
【図４】
2004080562.tif 000006
【図５】
2004080562.tif 000007
【図６】
2004080562.tif 000008
【図７】
2004080562.tif 000009